(57)【要約】【課題】扉側丁番の建て込み位置を容易に探ることができる扉建込治具及び扉装置の提供をする。【解決手段】本発明にかかる扉建込治具７は、枠３に取り付けた枠側丁番１１に取り付け、扉５に取り付けた扉側丁番１３を枠側丁番１１の軸１７に挿入する際に、扉側丁番１３をガイドすると共に扉側丁番１３を枠側丁番１１の軸１７に挿入した後に取り外し自在なものであり、枠側丁番１１の軸１７を遮蔽する見付面側遮蔽部３３と、見付面側遮蔽部３３よりも上方に設けて扉側丁番１３の見込方向の移動を案内する見込面側ガイド面３５と、見込面側ガイド面３５と連続して且つ見付面側遮蔽部３３より見込方向奥側に位置して、扉側丁番１３の見付方向の移動を案内する見付面側ガイド面３７と、見込面側ガイド面３５と見付面側ガイド面３７とが成すコーナー部に位置するガイド面コーナー部３９とを有している。【選択図】図１
2020101084.tif 000002
【特許請求の範囲】
【請求項１】
枠に取り付けた枠側丁番に取り付け、扉に取り付けた扉側丁番を枠側丁番の軸に挿入する際に、扉側丁番をガイドすると共に扉側丁番を枠側丁番の軸に挿入した後に取り外し自在なものであり、枠側丁番の軸を遮蔽する見付面側遮蔽部と、見付面側遮蔽部よりも上方に設けて扉側丁番の見込方向の移動を案内する見込面側ガイド面と、見込面側ガイド面と連続して且つ見付面側遮蔽部より見込方向奥側に位置して、扉側丁番の見付方向の移動を案内する見付面側ガイド面と、見込面側ガイド面と見付面側ガイド面とが成すコーナー部に位置するガイド面コーナー部とを有していることを特徴とする扉建込治具。
【請求項２】
枠に設けた上下の枠側丁番に請求項１に記載の扉建込治具を着脱自在に取り付けて扉を枠に建て込んであることを特徴とする扉装置。
【発明の詳細な説明】
【技術分野】
【０００１】
本発明は、扉建込治具及び扉装置に関する。  
【背景技術】
【０００２】
特許文献１及び２には、各々扉に取り付けた扉側丁番を、枠に取り付けた枠側丁番の軸に挿入する際に、扉側丁番をガイドし、枠側丁番の軸に扉側丁番を挿入した後に取り外し自在な扉建込治具が開示されている。尚、枠側丁番の軸に扉側丁番を挿入するときには、扉を開き状態にして持ち上げて枠に建て込む。
【先行技術文献】
【特許文献】
【０００３】
【特許文献１】実用新案登録３００３４８３号公報
【特許文献２】実用新案登録３０６６８２２号公報
【発明の概要】
【発明が解決しようとする課題】
【０００４】
しかし、特許文献１の扉建込治具は、扉側丁番のガイド部は見付面としてあり、見込面側のガイド面がないので、扉を持ち上げて扉側丁番の挿入位置を探る際に見込面側の位置が探れない為に、扉を持ち上げ過ぎて上枠にぶつけるおそれがあった。  
特許文献２の建込治具では、扉側丁番のガイド部は見込面としてあり、見付面側ガイド面がないので、扉を持ち上げて扉側丁番の建て込み位置を探る際に見付面側の位置が探れない為に、扉側丁番を、枠側丁番を取り付けている縦枠にぶつけるおそれがあった。  
【０００５】
そこで、本発明は、扉側丁番の建て込み位置を容易に探ることができる扉建込治具及び扉装置の提供を目的とする。  
【課題を解決するための手段】
【０００６】
請求項１に記載の発明は、枠に取り付けた枠側丁番に取り付け、扉に取り付けた扉側丁番を枠側丁番の軸に挿入する際に、扉側丁番をガイドすると共に扉側丁番を枠側丁番の軸に挿入した後に取り外し自在なものであり、枠側丁番の軸を遮蔽する見付面側遮蔽部と、見付面側遮蔽部よりも上方に設けて扉側丁番の見込方向の移動を案内する見込面側ガイド面と、見込面側ガイド面と連続して且つ見付面側遮蔽部より見込方向奥側に位置して、扉側丁番の見付方向の移動を案内する見付面側ガイド面と、見込面側ガイド面と見付面側ガイド面とが成すコーナー部に位置するガイド面コーナー部とを有していることを特徴とする扉建込治具である。
【０００７】
請求項２に記載の発明は、枠に設けた上下の枠側丁番に請求項１に記載の扉建込治具を着脱自在に取り付けて扉を枠に建て込んであることを特徴とする扉装置である。
【発明の効果】
【０００８】
請求項１に記載の発明によれば、扉建込治具は見込面側ガイド面と見付面側ガイド面とを有しているので、扉を持ち上げた状態で見付面及び見込面の両方向で扉側丁番をガイド面にあてることができるから、扉側丁番の建て込み位置を容易に探ることができる。  
扉建込治具には、枠側丁番の軸を遮蔽する見付面側遮蔽部を設けているので、枠側丁番の軸に扉側丁番をぶつけることがなく、扉建て込み時における枠側丁番の軸の損傷を防止できる。  
見付面側遮蔽部が枠側丁番の軸を隠しているので、扉側丁番を持ち上げる位置の目安になるから、扉の建て込み時には扉側丁番が見付面側遮蔽部を越える程度に持ち上げれば良く、作業性が良い。  
ガイド面コーナー部を有しているので、扉側丁番を見込面側ガイド面又は見付面側ガイド面からガイド面コーナー部に寄せるだけで建て込み位置が決まるので作業性が良い。  
【０００９】
請求項２に記載の発明によれば、請求項１に記載の効果を奏することができる扉装置を提供できる。  
【図面の簡単な説明】
【００１０】
【図１】縦枠に取付けた枠側丁番に第１実施の形態にかかる扉建込治具を装着して、扉側丁番を取り付けた扉を建て込む作業状態を示す斜視図である。
【図２】縦枠に取付けた枠側丁番に第１実施の形態にかかる扉建込治具を装着して、枠側丁番の軸に扉側丁番を挿入した状態を示す平面図である。
【図３】第１実施の形態にかかる扉建込治具の斜視図である。
【図４】第１実施の形態にかかる扉建込治具を用いて、枠と扉を建て込む工程を（ａ）〜（ｈ）で工程毎に示す斜視図である。
【図５】枠に扉を建て込むときの各枠側丁番と対応する扉側丁番との関係を示す斜視図である。
【図６】建物に取り付けた扉装置を室外側から見た正面図である。
【図７】第２実施の形態にかかる扉建込治具の斜視図である。
【図８】第２実施の形態にかかる扉建込治具を用いて、枠に扉を建て込む工程を図４に示す工程に対応させて示す斜視図である。
【発明を実施するための形態】
【００１１】
以下に、添付図面を参照して本発明の実施の形態について説明する。  
図６に示すように、本実施の形態にかかる扉建込治具７を用いた扉装置１は、玄関ドアであり、枠３と、扉５とを備えている。扉５は、その戸尻框５ａが上中下３箇所に設けた丁番９で戸尻枠３ａに連結されている。図６に示す扉装置１では、上中下３箇所の丁番９のうち、真中の丁番９を除く、上と下の丁番９にそれぞれ扉建込治具７を用いて枠３に扉５を建て込んだ後に、扉建込治具７を外してある。尚、以下に説明する丁番９及び扉建込治具７を用いた枠３と扉５との建て込みについては、図６に示す上丁番９（最上位置にある丁番）について説明する。  
図１に示すように、丁番９は、枠側丁番１１と扉側丁番１３とから構成されている。枠側丁番１１は、旗部１５と、軸１７と、扉側丁番１３を受ける受部１９とを備えており、旗部１５が戸尻枠３ａの枠内周側見込面４ａにねじ２１で固定されている。  
尚、図２及び図４に示すように、戸尻枠３ａは、中空形材であり中空の内部に丁番取付裏板２３が取り付けてある。
図１及び図２に示すように  、扉側丁番１３は旗部２７と、枠側丁番１１の軸１７を挿入する挿入部２９とを備えており、挿入部２９は有底円筒形状をなし、底部を上にして円筒内に枠側丁番１１の軸１７を下から挿入するようにしてある。旗部２７は、扉５の戸尻框５ａの見込面６ａにねじ３１（図２参照）で固定されている。  
【００１２】
扉建込治具７は、枠３に取り付けた枠側丁番１１に取り付けて、扉５に取り付けた扉側丁番１３を枠側丁番１１の軸１７に挿入する際に、扉側丁番１３をガイドすると共に扉側丁番１３を枠側丁番１１の軸１７に挿入した後に取り外し自在なものである。  
図１及び図３に示すように、扉建込治具７は、基部３４と装着補助部３２とを備えている。基部３４には、扉側丁番１３の落し込みを案内する落し込みガイド部３６と、落し込みガイド部３６の上に設けて扉側丁番１３を落し込みガイド部３６の上にガイド内する扉側丁番ガイド部３８とが設けてある。  
落し込みガイド部３６は、枠側丁番１１の軸１７と扉側丁番受部１９の上部を囲む略円筒形状の壁部３６ａを有し、略円筒形状の壁部３６ａと軸１７との間に扉側丁番１３の挿入部２９が挿入されるようになっている。  
落し込みガイド部３６には、その見込方向前側に設けて枠側丁番１１の軸１７を遮蔽する見付面側遮蔽部３３が設けてある。  
【００１３】
扉側丁番ガイド部３８は、扉側丁番１３の見込方向の移動を案内する見込面側ガイド面３５と、扉側丁番１３の見付方向の移動を案内する見付面側ガイド面３７と、見込面側ガイド面３５と見付面側ガイド面３７とが成すコーナー部に位置するガイド面コーナー部３９とが設けてある。
見込面側ガイド面３５は、見付面側遮蔽部３３よりも上方に設けてあり且つ見付面側遮蔽部３３の見付面と見付面側ガイド面３７との間に設けてある。  
見付面側ガイド面３７は、見込面側ガイド面３５と連続して且つ見付面側遮蔽部３３よりも見込方向奥側で、落し込みガイド部３６の見込方向奥側端の上に位置している。  
ガイド面コーナー部３９は、扉側丁番１３の挿入部２９が当接した位置で、扉側丁番１３の挿入部２９が落し込みガイド部３６の上に位置するようにしてあり、その位置で扉側丁番１３を落し込むことで、扉側丁番１３の挿入部２９が枠側丁番１１の軸１７に挿入される。  
尚、落し込みガイド部３６の上端には、内周側に向けて傾斜するテーパー４３が形成されている。  
【００１４】
装着補助部３２は、枠側丁番１１の旗部１５の枠内周側面に対向して配置されるものであり、基部３４の一側部３４ａとの間に旗部１５を挟んで扉建込治具７を枠側丁番１１に保持している。即ち、図２及び図３に示すように、扉建込治具７の基部３４には装着補助部３２側に枠側丁番１１の旗部１５に上から挿入する旗部挿入溝４１が形成されており、この旗部挿入溝４１を境に枠外周側にある一側部３４ａと、枠内周側にある他側部３４ｂとに分割してある。図２に示すように、旗部挿入溝４１を旗部１５に上から挿入すると、装着補助部３２は枠側丁番１１の旗部１５の枠内周側面１５ａに対面して位置し、基部３４の一側部３４ａは旗部１５の枠外周側面１５ｂに対面して位置すると共に一側部３４ａの室内側面３４ｃは戸尻枠３ａの室外側見付面３ｂに対面して位置する。  
旗部挿入溝４１の溝底４１ａは枠側丁番１１の旗部１５の上端に載置される載置面としてある。  
【００１５】
次に、図４を参照して、扉建込治具７を用いた扉装置１の製造方法について説明する。
第１工程（図４（ａ））では、戸尻枠３ａの中空内に丁番取付裏板２３を挿入してねじ２５で丁番取付裏板２３を戸尻枠３ａの内周側面に固定する。この第１工程は、扉装置１について枠３及び扉５等の製造工場で行う。  
尚、以下に説明する第２工程以下の各工程は扉装置１の施工現場で行う。第２工程（図４（ｂ）、（ｃ））では、枠側丁番１１の旗部１５を戸尻枠３ａの内周側面に当てて、丁番取付裏板２３（図４（ａ）参照）にねじ２１で固定する。  
第３工程（図４（ｄ））では、枠側丁番１１の旗部１５に扉建込治具７を装着する。扉建込治具７の装着は、旗部挿入溝４１を戸尻枠３ａから見込方向前側（室外側）に突出している旗部１５に上から挿入して取り付ける。  
第４工程（図４（ｅ１）、（ｅ２））では、扉５を枠３に対して開き状態にして持ち上げ、戸尻框５ａに取り付けた扉側丁番１３を扉５と共に枠３に建て込むが、図４（ｅ１）に示すように、扉側丁番１３は戸尻枠３ａに対して室外側から室内側に向けて矢印Ｅで示すように見込方向に建て込んでも良いし、図４（ｅ２）に示すように、枠内周側から枠外周側に向けて矢印Ｆで示すように見付方向に建て込んでも良い。例えば、図４（ｅ１）に示すように見込方向から建て込むときには、扉５を持ち上げた状態で、扉側丁番１３の挿入部２９を見付面側遮蔽部３３を目安にして、これよりも少し上方から扉建込治具７の見付面側ガイド面３７に当て、そのまま見込面側ガイド面３５側にスライドさせて、扉側丁番１３の挿入部２９をガイド面コーナー部３９に追い込む。また、図４（ｅ２）に示すように、見付方向（枠内周側）から建て込むときには、図４（ｅ１）と同様に、扉側丁番１３の挿入部２９を見付面側遮蔽部３３を目安にして、これよりも少し上方から扉建込治具７の見込面側ガイド面３５に当て、そのまま見付面側ガイド面３７側にスライドさせて、扉側丁番１３の挿入部２９をガイド面コーナー部３９に追い込む。  
第５工程（図４（ｆ）（ｇ））では、ガイド面コーナー部３９に当接している状態の扉側丁番の挿入部２９は落し込みガイド部３６の上に位置しているので、そのまま下方に落し込む。このとき、扉側丁番の軸１７に対してわずかなずれがあっても落し込みガイド部３６では挿入部２９がテーパー４３により、軸１７に被さるようにガイドされる。これにより、扉側丁番１３の挿入部２９に枠側丁番１１の軸１７が挿入される。  
第６工程（図４（ｈ））では、最後に扉建込治具７の装着補助部３２を押し上げつつ扉建込治具７を室内側に引き抜いて取り外す。尚、３つの丁番９のうち最も下に位置する丁番９の扉建込治具７についても同様にして取り外す。  
【００１６】
次に、本実施の形態にかかる扉建込治具７及びこれを用いて建て込んだ扉装置の効果について説明する。  
図１に示すように、扉建込治具７には、見込面側ガイド面３５と見付面側ガイド面３７とが設けてあるので、枠３に扉５を建て込む際には、扉５を持ち上げた状態で見付面及び見込面の両方向で各ガイド面３５、３７にあてることができるから、扉側丁番１３の建て込み位置を容易に探ることができる。  
扉建込治具７には、枠側丁番１１の軸１７を遮蔽する見付面側遮蔽部３３を設けているので、枠側丁番１１の軸１７に扉側丁番１３をぶつけることがなく、扉建て込み時における枠側丁番１１の軸１７の損傷を防止できる。  
見付面側遮蔽部３３が枠側丁番１１の軸１７を隠しているので、扉側丁番１３を持ち上げる位置の目安になるから、扉５の建て込み時には扉側丁番１３が見付面側遮蔽部３３を越える程度に持ち上げれば良く、作業性が良い。  
扉建込治具７は、ガイド面コーナー部３９を有しており、扉側丁番１３を見込面側ガイド面３５又は見付面側ガイド面３７からガイド面コーナー部３９に寄せるだけで建て込み位置が決まるので作業性が良い。  
【００１７】
扉建込治具７には、基部３４に旗部挿入溝４１を設けてあり、枠側丁番１１の旗部１５に上から旗部挿入溝４１を挿入して、旗部１５を基部３４の一側部３４ａと他側部３４ｂとで挟んでいるので、扉建込治具７を安定して取り付けることができる。  
扉建込治具７の落し込みガイド部３６の上端部には、内周側を低くしたテーパー４３を形成して扉側丁番１３の落し込みを案内しているので、扉側建込治具７の挿入可能領域を広くできる。  
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に、本発明の第２実施の形態にかかる扉建込治具７を示す。この第２実施の形態にかかる扉建込治具７では、基部３４の上端部にはガイド面コーナー部３９に対応する位置に扉側丁番１３の挿入部２９を仮置きする仮置き部４５を設けていることが第１実施の形態と異なっている。
【００１９】
次に、図８を参照して第２実施の形態にかかる扉建込治具７を用いた扉装置１の製造方法について説明する。尚、図８には、図４に示す第１実施の形態にかかる扉装置１の製造方法と対応する工程について、第１実施の形態と異なる工程を抜き出して示している。  
第４工程（図８（ｅ１）、（ｅ２））では、図８（ｅ１）に示すように、第２実施の形態にかかる扉建込治具７を枠側丁番１１に装着した後、第１実施の形態と同様に、扉５を持ち上げた状態で、扉側丁番１３の挿入部２９を見付面側遮蔽部３３を目安にして、これよりも少し上方から扉建込治具７の見付面側ガイド面３７に当て、そのまま見込面側ガイド面３５側にスライドさせて、ガイド面コーナー部３９に追い込んだところで、挿入部２９を仮置き部４５に仮置きする（図８（ｆ））。また、第４工程では、図８（ｅ２）に示すように、見付方向（枠内周側）から建て込むときには、図８（ｅ１）と同様に、扉側丁番１３の挿入部２９を見付面側遮蔽部３３を目安にして、これよりも少し上方から扉建込治具７の見込面側ガイド面３５に当て、そのまま見付面側ガイド面３７側にスライドさせて、扉側丁番１３の挿入部２９をガイド面コーナー部３９に追い込んで、挿入部２９をその位置で仮置き部４５に仮置きする（図８（ｆ））。  
第５工程（図８（ｆ）、（ｇ））では、図８（ｆ）に矢印Ｇで示すように、扉側丁番１３の挿入部２９を仮置き状態から見込方向前側にスライド（水平移動）させた後、旗部挿入溝４１に落し込み（垂直移動）、扉側丁番１３の挿入部２９を枠側丁番１１の軸１７に挿入することで、枠３に扉５を建て込む（図８（ｇ））。  
【００２０】
この第２実施の形態によれば、上述した第１実施の形態と同様の作用効果を奏すると共に仮置き部４５を設けているので、扉５を仮置き部４５に預けて建て込む作業ができるから、建て込み作業がし易い。  
【００２１】
本発明は、上述した実施の形態に限定されるものではなく、その要旨を逸脱しない範囲で種々変形可能である。  
例えば、上述した実施の形態において、扉装置１は、玄関ドアに限らず、室内ドアや勝手口ドア、又は門扉等であっても良い。門扉の場合には、枠は門柱や縦材である。  
第１及び第２実施の形態において、図４又は図８に示す扉装置１の製造工程は全て工場で行い、枠３に扉５を建て込んだ状態の扉装置１を工場から出荷して、施工現場で扉装置１を建物に取り付けても良い。  
第１及び第２実施の形態において、図５に示すように上下３箇所ある丁番９のうちの中間位置を除く上と下の丁番９に扉建込治具７を設けて枠３に扉５を建て込んだが、上と中間の丁番９や中間と下の丁番９に設けても良いし、上中下３箇所に設けても良く、建込治具７を使用する位置やその数については限定されない。  
【符号の説明】
【００２２】
１    扉装置
３    枠
５    扉
７    扉建込治具
１１  枠側丁番
１３  扉側丁番
１７  軸
２９  挿入部
３３  見付面側遮蔽部
３５  見込面側ガイド面
３７  見付面側ガイド面
３９  ガイド面コーナー部
【図１】
2020101084.tif 000003
【図２】
2020101084.tif 000004
【図３】
2020101084.tif 000005
【図４】
2020101084.tif 000006
【図５】
2020101084.tif 000007
【図６】
2020101084.tif 000008
【図７】
2020101084.tif 000009
【図８】
2020101084.tif 000010
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
枠の見込面に旗部を取り付けた枠側丁番に取り付け、扉に取り付けた扉側丁番の挿入部を枠側丁番の軸に挿入する際に、扉側丁番をガイドすると共に扉側丁番の挿入部を枠側丁番の軸に挿入した後に取り外し自在なものであり、枠の見込面に当接する上竪板部と、枠側丁番の旗部の上面に載置する載置部と、枠側丁番の旗部の見込面に当接する下竪板部とが連続して形成されていると共に枠側丁番の旗部を挿通する旗部挿入溝が設けてあることを特徴とする扉建込治具。
【手続補正２】
【補正対象書類名】明細書
【補正対象項目名】０００６
【補正方法】変更
【補正の内容】
【０００６】
請求項１に記載の発明は、枠の見込面に旗部を取り付けた枠側丁番に取り付け、扉に取り付けた扉側丁番の挿入部を枠側丁番の軸に挿入する際に、扉側丁番をガイドすると共に扉側丁番の挿入部を枠側丁番の軸に挿入した後に取り外し自在なものであり、枠の見込面に当接する上竪板部と、枠側丁番の旗部の上面に載置する載置部と、枠側丁番の旗部の見込面に当接する下竪板部とが連続して形成されていると共に枠側丁番の旗部を挿通する旗部挿入溝が設けてあることを特徴とする扉建込治具である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項１に記載の発明によれば、扉側丁番の建て込み位置を容易に探ることができる。
【手続補正５】
【補正対象書類名】明細書
【補正対象項目名】０００９
【補正方法】削除
【補正の内容】